(57)【要約】【課題】簡単な構成で構成部位の状態に合わせて送風ファンの風量を調整する。【解決手段】駆動源で駆動され、加熱ローラ２１が定着ローラ２２に所定の力で圧着される加圧状態と加熱ローラ２１と定着ローラ２２とが接触しない脱圧状態との間の加圧状態に変更する押付変更機構２００Ｂを備える定着器２０と、外側パネル１１０の開口１１０ａから、定着器２０の周辺の空気を排出して冷却を行う送風ファン１３０と、を備える。送風ファン１３０を外側パネル１１０に対して姿勢変更が可能に配置し、送風ファン１３０を、押付変更機構２００Ｂの駆動源によって２つの定着部材の加圧状態に対応させて姿勢を変更して空気の排出量を変更する姿勢変更機構２００Ａを備える。姿勢変更機構２００Ａと押付変更機構２００Ｂとは駆動機構２００を構成する。【選択図】図４
2016085438.tif 000002
【特許請求の範囲】
【請求項１】
装置本体の内部に配置され電子写真プロセスにより記録媒体に画像を形成する処理を行う構成部位と、
装置内部を冷却する送風ファンと、
前記構成部位の動作状態に応じて前記送風ファンの姿勢を変更する姿勢変更機構と、
を備えることを特徴とする画像形成装置。
【請求項２】
前記構成部位は、記録媒体への現像材の定着を行うニップ部を形成する２つの定着部材と、この２つの定着部材を予め定めた所定の力で圧着する加圧状態と前記２つの定着部材が接触しない脱圧状態との間で前記動作状態として加圧状態を変更する押付変更機構を備える定着装置であり、
前記送風ファンは、前記装置本体の外装部材に開設された開口から前記定着装置の周辺の空気を排出して前記定着装置を冷却するとともに、前記外装部材に対する姿勢を変更可能に配置されるものであり、
前記姿勢変更機構は、前記押付変更機構の駆動源で駆動され、前記２つの定着部材の加圧状態に対応させて前記送風ファンの前記外装部材に対する姿勢を変更することを、
ことを特徴とする請求項１に記載の画像形成装置。
【請求項３】
前記押付変更機構は、厚さ寸法を含む前記記録媒体の特性に応じて前記２つの定着部材の前記加圧状態を変更することを特徴とする請求項２に記載の画像形成装置。
【請求項４】
前記押付変更機構は、作像準備時、通紙開始時、作像終了時、および通紙終了時に前記２つの定着部材の前記加圧状態を変更し、
前記姿勢変更機構は、前記加圧状態に対応して前記送風ファンの姿勢を変更することを特徴とする請求項２または請求項３に記載の画像形成装置。
【請求項５】
前記姿勢変更機構は、前記送風ファンの傾斜を、通紙時かつ普通紙のとき、通紙時かつ厚紙のとき、待機時のときの順に小さくし、これに伴い前記送風ファンの排風量を減少させること特徴とする請求項２から請求項４のいずれか一項に記載の画像形成装置。
【請求項６】
前記押付変更機構は、２つの定着部材のうちの少なくとも一方の定着部材を移動させる定着部材移動カムを備え、
前記姿勢変更機構は、前記送風ファンの姿勢を変更する姿勢変更カムを備え、
前記定着部材移動カムおよび前記姿勢変更カムは、前記駆動源で回転駆動される共通の駆動軸に配置されていることを特徴とする請求項２から請求項５のいずれか一項に記載の画像形成装置。
【請求項７】
前記構成部位は、記録媒体にトナー像を形成するトナー像形成手段と、このトナー像形成手段を駆動する駆動モータと、前記駆動モータの動力を前記トナー像形成手段に伝達するギア機構と、前記駆動モータの動力を前記ギア機構に伝達する伝達状態、または伝達しない非伝達状態に切り換える電磁クラッチと、を備える作像装置であり、
前記送風ファンは、前記装置本体の外装部材に開設された開口から前記作像装置の周辺の空気を排出して前記作像装置を冷却するとともに、前記外装部材に対する姿勢を変更可能に配置されるものであり、
前記電磁クラッチは、前記伝達状態と前記非伝達状態とにおいて、前記ギア機構が発生するスラスト方向の力で移動する移動部材を備え、
前記姿勢変更機構は、前記移動部材によって前記送風ファンの前記外装部材に対する姿勢を変更する、
ことを特徴とする請求項１に記載の画像形成装置。
【請求項８】
前記記録媒体の種類によって、前記作像装置の前記駆動モータの駆動速度を変化させるものであり、
前記電磁クラッチの前記移動部材は、前記駆動モータの前記駆動速度の変化により配置位置が変化し、
前記姿勢変更機構は、前記記録媒体の種類に対応して前記送風ファンの姿勢を設定することを特徴とする請求項７に記載の画像形成装置。
【請求項９】
前記姿勢変更機構は、前記送風ファンの傾斜を、通紙時かつ普通紙のとき、通紙時かつ厚紙のとき、待機時または通紙開始時の順に増加させ、前記送風ファンは、傾斜の増加に伴って排風量を減少させる、
こと特徴とする請求項７または請求項８に記載の画像形成装置。
【請求項１０】
前記作像装置は、中間転写ユニットを含み、
前記電磁クラッチの前記伝達状態および前記非伝達状態の変更は、作像準備、通紙開始時、および作像終了時および通紙終了時に行うものであり、
前記電磁クラッチは、前記作像装置の前記駆動モータでの中間転写ユニット、または感光体ドラムが駆動した後に前記伝達状態とされ、前記駆動モータでの前記中間転写ユニットまたは、前記感光体ドラムが停止する前に前記非伝達状態とされる、
ことを特徴とする請求項７または請求項９に記載の画像形成装置。
【発明の詳細な説明】
【技術分野】
【０００１】
本発明は、画像形成装置に関する。
【背景技術】
【０００２】
画像形成装置として、電子写真プロセスを用いて記録媒体に画像形成を行うものが広く使用されている。この種の画像形成装置は、電子写真プロセスを実行する構成部位として、記録媒体にトナー像を形成する作像装置や、記録媒体にトナーを定着する定着装置が配置される。このような画像装置では、作像装置におけるモータの発熱や、定着装置におけるヒーターの発熱量が大きく、画像形成装置内の温度が上昇しやすい。これを防止するため、内部の熱流を円滑に流す流路を形成したり、送風ファンを配置したりする。また、画像形装置では、省エネルギー化や騒音低減の観点から、装置内の温度上昇に合わせて冷却ファンの駆動を行う。
【０００３】
定着装置として、定着ローラおよび加熱ローラの間に形成されるニップ部に記録媒体を通過させ、未定着トナーを記録媒体に定着する構成を備えるものがある。このような定着装置として、定着時にはこれら２つのローラ、例えば加熱ローラと定着ローラとを所定の力で圧着し、非定着時には２つのローラを離間させる機構を備えるものがある。また、定着する記録媒体の種類や、厚さによって定着ローラと加熱ローラの圧着力を変更するものがある。
【０００４】
また、画像形成装置の作像装置には現像器が設けられており、この現像器は、その駆動時間がなるべく短くなるように使用されることが望まれる。このため、現像器は駆動用のモータと電磁クラッチを介して接続され、必要なときだけ駆動される。また、作像装置は画像形成する記録媒体の種類によってその記録媒体の処理速度を変更することがある。
【０００５】
特許文献１には、定着装置を備えた画像形成装置において定着ローラと加圧ローラとを加圧状態と離間状態とに切り換える接離手段を有するとともに、定着ローラの表面を冷却する第１のファンと、第２のファンとを設け、この２つのファンを同時にオンオフ制御するものが記載されている。
【発明の概要】
【発明が解決しようとする課題】
【０００６】
上述した画像形成装置では、２つの定着部材の圧着度合いに応じて、冷却ファンによる冷却風の流量を簡単な構成で変えることが望まれる。しかし、特許文献１に記載のものにあっては、冷却ファンは単にオンオフ制御されるだけであり、定着装置を最適な状態で冷却することができない。同様に、作像装置の動作状態に応じて最適な状態で冷却することができない。
【０００７】
そこで本発明は、簡単な構成で画像形成装置の構成部位の状態に合わせて送風ファンの風量を調整することができる画像形成装置を提供することを目的とする。
目的とする。
【課題を解決するための手段】
【０００８】
本発明に係る画像形成装置は、装置内部に配置され電子写真プロセスにより記録媒体に画像を形成する処理を行う構成部位と、装置内部を冷却する送風ファンと、前記構成部位の動作状態に応じて前記送風ファンの姿勢を変更する姿勢変更機構と、を備えることを特徴とする。
【発明の効果】
【０００９】
本発明によれば、装置内部に配置された構成部位の動作状態に応じて送風ファンでの最適な流路と排熱風量とを設定できる。
【図面の簡単な説明】
【００１０】
【図１】本発明の実施形態１に係る画像形成装置の概略構成を示す断面図である。
【図２】同画像形成装置の送風ファンを示す斜視図である。
【図３】送風ファンの傾斜と流路を説明する図であり、（ａ）は送風ファンの姿勢を示す模式図、（ｂ）は送風ファンの姿勢を排気の量の関係を示すグラフである。
【図４】第１加圧状態における姿勢変更機構と押付変更機構を示す模式図である。
【図５】第２加圧状態における姿勢変更機構と押付変更機構を示す模式図である。
【図６】脱圧状態における姿勢変更機構と押付変更機構を示す模式図である。
【図７】画像形成装置の駆動機構の駆動軸、定着部材移動カムおよび姿勢変更カムを示す斜視図である。
【図８】フォトセンサーの検出状態と、定着部材移動カム、および傾斜角変更カムの位置の関係を示す模式図である。
【図９】各状態におけるフィラー、定着部材移動カム、および傾斜角変更カムの位置を示す模式図である。
【図１０】本発明の実施形態２に係る画像形成装置における送風ファンの配置状態を示すものであり、（ａ）は画像形成装置の側面図、（ｂ）は画像形成装置の平面図である。
【図１１】同画像形成装置における作像駆動機構部を示す斜視図である。
【図１２】同画像形成装置における作像機構部の内部機構を示す斜視図である。
【図１３】同画像形成装置における作像機構部の内部機構を示す斜視図である。
【図１４】同作像機構部に配置される電磁クラッチを示す模式図である。
【図１５】同作像機構部の動作を示すものであり、（ａ）は電磁クラッチの非連結時を示す模式図、（ｂ）は電磁クラッチの連結時を示す模式図である。
【図１６】姿勢変更機構の構成および動作を示す模式図である。
【図１７】電磁クラッチが非連結状態での姿勢変更機構の状態を示す模式図である。
【図１８】電磁クラッチが低速連結状態での姿勢変更機構の状態を示す模式図である。
【図１９】電磁クラッチが高速連結状態での姿勢変更機構の状態を示す模式図である。
【図２０】送風ファンの傾きを示す模式図である。
【図２１】送風ファンの傾きと風量との関係を示すグラフである。
【図２２】電磁クラッチの連結状態とギアのスラスト力との関係を示すグラフである。
【発明を実施するための形態】
【００１１】
本発明を実施するための形態に係る画像形成装置について説明する。
【００１２】
＜実施形態１＞
本発明の実施形態１に係る画像形成装置において、画像形成処理を行うため装置内部に配置される構成部位として定着装置が配置されている。本実施形態では、定着器における動作状態である定着部材の圧着の程度に対応して、送風ファンの画像形成装置の装置本体に対する姿勢を変更する。これにより装置本体からの排風量を調整して画像形成装置内の流路を変更する。即ち、定着装置への通紙時および待機時において送風ファンを最適な姿勢として、定着装置の動作に対応した流路で排気を行う。これにより、冷却効率を上げることができる。また、冷却効率を上げることができるので、送風ファンの数を減らすことができ、画像形成装置全体の省エネルギー化および低騒音化を実現できる。
【００１３】
まず、実施形態１に係る画像形成装置の全体構造について説明する。図１は本発明の実施形態１に係る画像形成装置の概略構成を示す断面図である。なお、本発明の実施対象とする画像形成装置は、図示したものには限定されず、複写機、ファクシミリ装置、複写機能とファクシミリ機能等を備えた複合機等、画像形成を行う種々の装置を対象とすることができる。
【００１４】
複写機である画像形成装置１００は、イエロー（Ｙ）、マゼンタ（Ｍ）、シアン（Ｃ）、ブラック（Ｋ）のトナー像を作成する作像装置として４台の作像ユニット５Ｙ、５Ｍ、５Ｃ、５Ｋを横方向に並べて配置したタンデム型のカラープリンタである。作像ユニット５Ｙ、５Ｍ、５Ｃ、５Ｋの上側には、作像ユニット５Ｙ、５Ｍ、５Ｃ、５Ｋに形成した各色のトナー像を重ねて転写する中間転写ベルト８を配置し、作像ユニット５Ｙ、５Ｍ、５Ｃ、５Ｋの下側には露光装置７を配置している。
【００１５】
作像ユニット５Ｙ、５Ｍ、５Ｃ、５Ｋは、Ｙ、Ｍ、Ｃ、Ｋの各色の感光体ドラム１Ｙ、１Ｍ、１Ｃ、１Ｋ、およびトナー像形成手段である各色のトナーによる現像器６Ｙ、６Ｍ、６Ｃ、６Ｋを備える。また、作像ユニット５Ｙ、５Ｍ、５Ｃ、５Ｋは、除電装置、帯電装置、クリーナ等を備える。さらに、中間転写ベルト８を挟んで中間転写ベルト８の内側には、感光体ドラム１Ｙ、１Ｍ、１Ｃ、１Ｋに対向して転写ローラ９Ｙ、９Ｍ、９Ｃ、９Ｋが配置されている。中間転写ベルト８には、中間転写ベルト８の残留トナーを除去するクリーニング部材１０が配置されている。中間転写ベルト８、転写ローラ９Ｙ、９Ｍ、９Ｃ、９Ｋおよびクリーニング部材１０は中間転写ユニット７０を構成する。
【００１６】
露光装置７は、画像形成装置１００に接続されたパーソナルコンピューター等からの色分解された画像信号に基づいて露光用の光を感光体ドラム１Ｙ、１Ｍ、１Ｃ、１Ｋに照射する。これにより、感光体ドラム１Ｙ、１Ｍ、１Ｃ、１Ｋは露光され潜像が形成される。感光体ドラム１Ｙ、１Ｍ、１Ｃ、１Ｋに形成された潜像は、現像器６Ｙ、６Ｍ、６Ｃ、６Ｋで各色の現像材（トナー）像が付着され顕像化される。
【００１７】
中間転写ベルト８は、３つのローラ１２、１３、１４に掛け回されている。ローラ１２に対向して二次転写ローラ１９が配置され、二次転写部８０を形成している。この二次転写部８０において、中間転写ベルト８に重ねて転写されたカラートナー像が記録媒体Ｐに転写される。記録媒体Ｐは、用紙カセット２６に配置されており、搬送ローラ２７で１枚ずつ搬送される。搬送された記録媒体Ｐは、ローラ対２８で位置やタイミングを調整されて二次転写部８０に搬送される。この画像形成装置１００では、露光装置７、作像ユニット５Ｙ、５Ｍ、５Ｃ、５Ｋ、中間転写ユニット７０が作像装置６０を構成する。
【００１８】
二次転写がなされた記録媒体Ｐは、定着器２０に搬送されて定着ニップ部で熱と圧力が付与され定着処理がなされる。定着器２０は、２つの定着部材として、加熱ローラ２１と、定着ローラ２２とを備えている。加熱ローラ２１には、加熱用のヒーター２１ａが内蔵されている。本実施形態では、２つの定着部材のうちの一方として定着ローラ２２を加熱ローラ２１に押し付け、定着ニップを形成する。
【００１９】
定着ローラ２２は、後述する押付変更機構によって加熱ローラ２１に加圧状態を可変に押し付けられる。加熱ローラ２１の定着ローラ２２への押し付けは、所定値である最大の押付力から定着ローラ２２が加熱ローラ２１に接触しない脱圧状態との間で調整される。即ち、定着器２０が記録媒体Ｐの定着を行うときには、定着ローラ２２を加熱ローラ２１に押し付ける。一方、定着器２０で定着を行わないときには、定着ローラ２２を加熱ローラ２１に接触しないようにする。また、記録媒体Ｐの種類、厚さ等の特性に応じて、定着ローラ２２の加熱ローラ２１への押付力を変更する。
【００２０】
定着器２０で定着された記録媒体Ｐは、排出ローラ対２９で排紙部５０ａに排出される。なお、本実施形態では、画像形成装置１００の上部には、補充用のトナーを格納したトナー容器５２Ｙ、５２Ｃ、５２Ｍ、５２Ｋが配置されたトナー補充部５１が配置されている。
【００２１】
なお、画像形成装置１００は、Ｙ、Ｍ、Ｃ、Ｋのトナーによるカラー印刷と、Ｋのトナーだけによる白黒印刷を行うことができる。画像形成装置１００によってカラー印刷を行うときには、作像ユニット５Ｙ、５Ｍ、５Ｃ、５Ｋを全て使用して、Ｙ、Ｍ、Ｃ、Ｋのトナー像を形成し、中間転写ベルト８に重ねて転写する。また、画像形成装置１００で白黒印刷を行うときには、ブラックの作像ユニット５Ｋだけを駆動して、他の作像ユニット５Ｙ、５Ｍ、５Ｃは駆動せず、中間転写ベルト８にブラックのトナー像を転写する。このとき、中間転写ユニット７０において、中間転写ベルト８は、ブラックの現像器６Ｋの感光体ドラム１Ｋだけに接触するように移動される。
【００２２】
画像形成装置１００には、定着器２０を冷却する送風ファン１３０が配置されている。送風ファン１３０は、画像形成装置１００の定着器２０近傍に形成された開口に配置される。送風ファン１３０の配置位置を図１中に斜線を記載した領域として示した。
【００２３】
送風ファン１３０は、加熱ローラ２１の定着ローラ２２への押し付け状態に応じてその姿勢、即ち画像形成装置１００への配置角度が変更される。図２は画像形成装置の送風ファンを示す斜視図、図３は同送風ファンの傾斜と流路を説明する図であり、（ａ）は送風ファンの姿勢を示す模式図、（ｂ）は送風ファンの姿勢を排気の量の関係を示すグラフである。
【００２４】
送風ファン１３０は、図２に示すように、軸流型のものであり、４角形の枠形状をなしたフレーム１３３内にファン１３１ａおよびこのファン１３１ａを回転駆動する直流モータ１３１ｂを備えて構成される。この実施形態では、送風ファン１３０は、フレーム１３３の両側部から外側に向けて突出した軸部材１３２を備える。
【００２５】
本実施形態に係る画像形成装置１００において、送風ファン１３０は、図３（ａ）に示すように、定着器２０に隣接して配置される。そして、定着器２０周辺の空気を画像形成装置１００の外装部材である外側パネル１１０に開設された開口１１０ａから外部に排出して定着器２０を冷却する。また、送風ファン１３０は、画像形成装置１００の外側パネル１１０に軸部材１３２を水平方向に保持される。これにより送風ファン１３０は、画像形成装置１００に、軸部材１３２を中心として傾斜して、姿勢を変更可能なものとして配置される。
【００２６】
送風ファン１３０は、図３（ａ）に示すように、軸部材１３２を中心として、その空気の排出流路が水平方向となる傾斜角度０から、上方に向けて角度φまで傾けることができる。図３（ａ）に示すように、送風ファン１３０の軸を、画像形成装置１００の外側に向けて上向きに角度θ、角度φに変更した場合（０＜θ＜φ）の排出風量は次第に減少する。即ち、図３（ｂ）に示すように、開口１００ａに対して送風ファン１３０の傾きが０（流路Ａ）のとき排出風量が最大（風量ＦＡ）となる。そして、送風ファン１３０を傾斜させるにつれて、送風ファン１３０の排気が開口１１０ａの縁部１１０ｂに隠され排出風量が風量ＦＢから風量ＦＣまで減少する。即ち、風量ＦＡ（流路Ａ：傾斜角度０）、風量ＦＢ（流路Ｂ：傾斜角度θ）、風量ＦＣ（流路Ｃ：傾斜角度φ）において、ＦＡ＞ＦＢ＞ＦＣとなる。また、画像形成装置１００では、この順に排気に伴って騒音が減少する。
【００２７】
本実施形態では、３つの角度に送風ファン１３０の姿勢を変更することで、定着器２０の状態に適合する流路を選択する。送風ファン１３０の姿勢は定着ローラ２２への加熱ローラ２１の加圧状態と関連付けられる。このため、定着ローラ２２の押付力を変更する押付変更機構と、送風ファン１３０の姿勢を変更する姿勢変更機構と、を１つの駆動源で共通して駆動する駆動機構として構成する。この例では、送風ファン１３０は、普通紙を定着するとき流路Ａ、普通紙より厚さ寸法が大きい厚紙を定着するとき流路Ｂ、定着を行わない脱圧状態のとき流路Ｃが選択される。
【００２８】
次に姿勢変更機構および押付変更機構について説明する。図４は第１加圧状態における姿勢変更機構と押付変更機構を示す模式図、図５は第２加圧状態における姿勢変更機構と押付変更機構を示す模式図、図６は脱圧状態における姿勢変更機構と押付変更機構を示す模式図である。
【００２９】
図４において、定着ローラ２２は、加熱ローラ２１に一番強く加圧され、第１加圧状態となっている。このとき、送風ファン１３０は傾斜角度０の姿勢であり流路Ａを形成している。本実施形態では、姿勢変更機構２００Ａと押付変更機構２００Ｂとは、駆動機構２００として構成され、１つの駆動源で駆動される。駆動機構２００は、モータ等の駆動源で回転されるピニオン１０２で駆動される回転軸１４３を備える。回転軸１４３には、駆動ギア１０３ｂが配置され、ピニオン１０２の回転は、中間ギア１０３ａを介して駆動ギア１０３ｂに伝達される。
【００３０】
図７は駆動機構の駆動軸、定着部材移動カムおよび姿勢変更カムを示す斜視図である。回転軸１４３には、図７に示すように、２枚の楕円形状の姿勢変更カム１１３と、２枚の楕円形状の定着部材移動カム１２３と、２枚のフィラー１４１とが取付けられている。姿勢変更カム１１３は、送風ファン１３０の姿勢を変更し、定着部材移動カム１２３は、定着ローラ２２の加熱ローラ２１への押付量を変更する。
【００３１】
回転軸１４３は、定着部材移動カム１２３および姿勢変更カム１１３のそれぞれ偏った位置に取付けられている。また、定着部材移動カム１２３と姿勢変更カム１１３とは、最大突出量となる位置が同じになるように回転軸１４３に取付けられている。回転軸１４３を回転駆動することにより、定着部材移動カム１２３、姿勢変更カム１１３およびフィラー１４１が一体として回転駆動され、送風ファン１３０の姿勢と、定着ローラ２２の加熱ローラ２１への押し付け状態を連動して変更する。
【００３２】
また、画像形成装置１００には、フィラー１４１によって光が遮断されることにより回転軸１４３の回転状態を検知するフォトセンサー１４２が配置されている。フィラー１４１の位置をフォトセンサー１４２で検知して定着部材移動カム１２３、および姿勢変更カム１１３の位置を制御する。
【００３３】
図４、５、６に示すように、姿勢変更カム１１３は、ファン側揺動軸１１４を中心として揺動するファン側揺動アーム１１１の下端に回転自在に配置された姿勢変更部材１１２に接触している。姿勢変更部材１１２は、送風ファン１３０のフレーム１３３の下側部分に接触しており、回転する姿勢変更カム１１３に押されて送風ファン１３０の下側を押す。これにより、送風ファン１３０は、軸部材１３２を中心として傾いて姿勢が変更される。フレーム１３３の上側部分には、画像形成装置１００のフレーム部１１５に固定されたファン側圧縮コイルスプリング１２６が配置されている。このファン側圧縮コイルスプリング１２６がフレーム１３３の上側を押し、フレーム１３３がファン側揺動アーム１１１の移動に追従する。
【００３４】
定着部材移動カム１２３は、定着器側揺動軸１２４を中心として揺動する定着器側揺動アーム１２１の先端に回転自在に取付けられた加圧部材１２２に接触している。定着器側揺動アーム１２１は、定着器側揺動軸１２４との間で定着ローラ２２に接触しており、定着部材移動カム１２３の回転に従って定着ローラ２２を押し付ける。これより、定着ローラ２２の加熱ローラ２１に対する位置を変更して定着ローラ２２の加熱ローラ２１への加圧力を変更できる。定着器側揺動アーム１２１の定着器側揺動軸１２４を越えた上端には、画像形成装置１００のフレーム部１１５に固定された定着器側圧縮コイルスプリング１２５が配置されている。この定着器側圧縮コイルスプリング１２５が定着器側揺動アーム１２１の上端を押し、定着器側揺動アーム１２１が姿勢変更カム１１３に追従する。
【００３５】
このような構造の画像形成装置１００における定着ローラ２２の加圧状態と送風ファン１３０の姿勢との関係について説明する。図８はフォトセンサーの検出状態と、定着部材移動カム、および傾斜角変更カムの位置の関係を示す模式図、図９は各状態におけるフィラー、定着部材移動カム、および傾斜角変更カムの位置を示す模式図である。
【００３６】
実施形態に係る画像形成装置１００では、駆動機構２００は、定着ローラ２２が加熱ローラ２１の加圧状態を第１加圧状態、第２加圧状態、および脱圧状態の３つの状態に設定する。第１加圧状態は、図４に示すように、加熱ローラ２１を２２に最も強く圧接する状態で、普通紙を定着する際に設定される。第２加圧状態は、図５に示すように、定着ローラ２２が第１加圧状態より弱く定着ローラ２２に加圧され、厚紙を定着する際に設定される。脱圧状態は、図６に示すように、定着ローラ２２と加熱ローラ２１とが接触しない状態である。
【００３７】
これらの状態は、定着する用紙の種類、画像形成タイミングにより選定される。また、この加圧力の選定は、画像形成装置１００における作像準備時、通紙開始時、作像終了時、および通紙終了時に行われる。
【００３８】
まず、第１加圧状態について説明する。図４、図７および図８に示すように、第１加圧状態では、姿勢変更カム１１３のカム位置が加圧部材１２２を最も押し込む位置になる。これにより定着器側揺動軸１２４を中心に回転する定着器側揺動アーム１２１が、定着ローラ２２を加熱ローラ２１に強く押し込み、加熱ローラ２１は定着ローラ２２に所定の力で押し付けられる。
【００３９】
また、この状態で、姿勢変更カム１１３は姿勢変更部材１１２を最も押し込まない姿勢になる。これによりファン側揺動軸１１４を中心に揺動するファン側揺動アーム１１１が、姿勢変更部材１１２を押し込まず、フレーム１３３の下側部が押し込まれない。このため、１３１送風ファンは水平姿勢（傾斜角度０）となる。このときは、流路Ａで排気され、風量ＦＡと最大となる。
【００４０】
この状態から回転軸１４３が回転すると、第２加圧状態となる。姿勢変更カム１１３が回転して、定着器側揺動軸１２４を中心に回転する定着器側揺動アーム１２１が、定着ローラ２２を加熱ローラ２１側に押し込み、加熱ローラ２１と定着ローラ２２が接触する。この状態では、定着ローラ２２を加熱ローラ２１に押し付ける量が、第１加圧状態より少なくなる。
【００４１】
このとき、姿勢変更カム１１３は回転して、姿勢変更部材１１２を押し込む状態となる。これによりファン側揺動軸１１４を中心に揺動するファン側揺動アーム１１１が、姿勢変更部材１１２を押し、フレーム１３３材の下側部が押し込まれる。このため、送風ファン１３０は水平方向に対して、傾斜角度θだけ上向きとなり流路Ｂで排気される。流路Ｂでの排気は流路Ａでの排気の量より少ない風量ＦＢとなり、また、送風ファン１３０による騒音が少なくなる。
【００４２】
この状態からさらに回転軸１４３が回転すると、脱圧状態となる。姿勢変更カム１１３が回転して、図６に示す状態に示すように、定着器側揺動アーム１２１は定着ローラ２２に接触しない状態となり、定着ローラ２２は、加熱ローラ２１から離れる。
【００４３】
このとき、姿勢変更カム１１３は姿勢変更部材１１２をさらに押し込む状態になる。これによりファン側揺動軸１１４を中心に揺動するファン側揺動アーム１１１が、姿勢変更部材１１２をさらに押し込み、フレーム１３３の下側部がさらに押し込まれる。このため、送風ファン１３０は水平方向に対して、角度φだけ上向きとなる。このときは、流路Ｃで排気される。流路Ｃにおける風量ＦＣは、流路Ａ、流路Ｂにおける風量ＦＡ、風量ＦＢより少なくなり、また、送風ファン１３０による騒音がさらに少なくなる。
【００４４】
このような制御は、用紙の厚さを含む記録媒体の状態や、画像形成装置の運転状態に基づいて行うことができる。図８に示すように、フィラー１４１がフォトセンサー１４２で検知されるか、また、検知後の時間を測定することで、姿勢変更カム１１３および姿勢変更カム１１３の位置を制御する。即ち、脱圧状態では、フィラー１４１は、フォトセンサー１４２で検出されている。この状態から回転軸１４３が回転駆動されフォトセンサー１４２でフィラー１４１を検出しなくなったとき（フォトセンサー立ち下げ検知）から、時間ｐ１経過後、回転軸１４３を停止すると第１加圧状態とすることができる。
【００４５】
また、回転軸１４３が回転駆動されフォトセンサー１４２でフィラー１４１を検出しなくなったとき（フォトセンサー立ち下げ検知）から、時間ｐ２経過後、回転軸１４３を停止すると第２加圧状態とできる。さらに回転軸１４３を回転させた状態でフォトセンサー１４２がフィラー１４１を検出したとき（フォトセンサー立ち上げ検知）から時間ｐ３経過後には脱圧状態に戻る。
【００４６】
このように回転軸１４３を回転させたときの姿勢変更カム１１３と姿勢変更部材１１２、定着部材移動カム１２３と加圧部材１２２、フィラー１４１とフォトセンサー１４２の位置関係を図９に示す。図９に示すように、回転軸１４３の回転に伴い、フィラー１４１、姿勢変更部材１１２、定着部材移動カム１２３は連動して移動する。
【００４７】
本実施形態では、回転軸１４３の回転を制御することにより、加熱ローラ２１の定着ローラ２２に対する圧着状体と、送風ファン１３０の姿勢、即ち流路とを同期して変更できる。即ち、加熱ローラ２１を脱圧状態したとき、送風ファン１３０を傾斜角度φの姿勢として流路Ｃとする（図６）。また、加熱ローラ２１を第１加圧状態としたとき、送風ファン１３０を傾斜角度０とし、流路Ａとする（図４）。さらに加熱ローラ２１を第２加圧状態としたとき、送風ファン１３０の姿勢を傾斜角度θとし、流路Ｂとする（図５）。
【００４８】
以上のように、本実施形態では、定着ローラ２２の加熱ローラ２１の加圧状態を、第１加圧状態、第２加圧状態、および脱圧状態の３つの状態に制御した。しかし、定着器２０の加圧状態は３つに限らず必要に応じて増すことや、無段階に調整することができる。この定着器２０の調整に伴い送風ファン１３０の姿勢を多段階や無段階にできる。
【００４９】
また、定着装置の押付変更機構と、送風ファンの姿勢変更機構とは１つの駆動源で駆動するものであれば、その構成は上記実施形態に記載したカムを使用した例に限らず、歯車、その他の機構を使用することができる。
【００５０】
＜実施形態２＞
次に実施形態２に係る画像形成装置について説明する。図１０は本発明の実施形態２に係る画像形成装置における作像装置と送風ファンの配置状態を示すものであり、（ａ）は画像形成装置の側面図、（ｂ）は画像形成装置の平面図である。図１０には、画像形成装置１００Ａの操作パネルを手前側に配置した状態での前側、後側、右側、左側を記載した。
【００５１】
本発明の実施形態２に係る画像形成装置１００Ａの画像形成に関する基本的構成は、実施形態１に係る画像形成装置１００と同様である。画像形成装置１００Ａは、画像形成装置の構成部位である作像ユニット５Ｙ、５Ｍ、５Ｃ、５Ｋ、露光装置７、中間転写ユニット７０を含む作像装置６０を備え、この作像装置６０を作像駆動機構２２０で駆動する。また、画像形成装置１００Ａにおいて、送風ファンである作像装置用送風ファン２７０は、画像形成装置１００Ａの作像駆動機構２２０に隣接して配置された外装部材である右側の外側パネル１１０Ａに配置される。外側パネル１１０Ａは開口１１０ｃを備えており、作像装置用送風ファン２７０は、この開口１１０ｃから排気を行う。
【００５２】
本実施形態では画像形成装置１００Ａは、作像装置６０の動作状態である作像処理の有無、および作像処理速度の変化に対応して、作像装置６０を冷却する作像装置用送風ファン２７０の装置本体に対する姿勢を変更する。そして、画像形成装置１００Ａの本体からの排風量を調整して画像形成装置１００Ａ内部の流路を変更する。即ち、作像装置６０への通紙時および待機時において作像装置用送風ファン２７０を最適な姿勢として、作像装置６０の動作に対応した流路で排気を行う。これにより、冷却効率を上げることができ、また、冷却効率を上げることができるので、送風ファンの数を減らすことができ、画像形成装置全体の省エネルギー化および低騒音化を実現できる。
【００５３】
作像装置用送風ファン２７０は、図２に示した送風ファン１３０と同様の構造を備える。即ち、作像装置用送風ファン２７０は、軸流型のものであり、４角形の枠形状をなしたフレーム２７３内にファン２７１ａおよびこのファン２７１ａを回転駆動する直流モータ２７１ｂを備えて構成される。この実施形態では、作像装置用送風ファン２７０は、フレーム２７３の両側部から外側に向けて突出した軸部材２７２を備える。
【００５４】
次に作像駆動機構２２０について説明する。図１１は同画像形成装置における作像駆動機構部を示す斜視図、図１２は同画像形成装置における作像機構部の内部機構を示す斜視図、図１３は同画像形成装置における作像機構部の内部機構を示す斜視図である。また、図１４は同作像機構部に配置される電磁クラッチを示す模式図である。
【００５５】
画像形成装置１００Ａにおいて、作像装置６０の作像ユニット５Ｙ、５Ｍ、５Ｃ、５Ｋには、現像器６Ｙ、６Ｍ、６Ｃ、６Ｋを備えており、この現像器６Ｙ、６Ｍ、６Ｃ、６Ｋは、その駆動時間をなるべく短くするように駆動制御される。特に、使用頻度が高いブラックの現像器６Ｋは、電磁クラッチ２４０を介してブラック用の駆動モータ（ブラック駆動モータ）２３１で駆動される。電磁クラッチ２４０は、図１４に示すように、電磁クラッチ軸２４４に移動部材２４３を備えている。この電磁クラッチ軸２４４および移動部材２４３は、作像駆動機構２２０に配置された「はすば歯車」を備えたギア機構の回転動作によりスラスト方向の力（軸方向の力）を受けて、無負荷時の位置から移動する。本実施形態に係る画像形成装置１００Ａでは、作像装置用送風ファン２７０の姿勢をこの移動部材２４３の移動動作により変更する。
【００５６】
図１１に示すように、作像駆動機構２２０は、右側板２２１と左側板２２２とを備える。右側板２２１には、ブラック駆動モータ２３１が配置されている。ブラック駆動モータ２３１は、中間転写ベルト８、ブラックの感光体ドラム１Ｋ、およびブラックの現像器６Ｋを駆動する。ブラック駆動モータ２３１の駆動力は電磁クラッチ２４０を経て各部に伝達される。電磁クラッチ２４０は、必要に応じて通電されて駆動力を伝達する伝達状態になり、ブラック駆動モータ２３１の駆動力を各部に伝達する。電磁クラッチ２４０に通電をしない場合には、非伝達状態となり、ブラック駆動モータ２３１の動力は作像ユニット５Ｙおよび中間転写ベルト８には伝達されない。
【００５７】
また、右側板２２１には、カラー用の感光体ドラム１Ｙ、１Ｍ、１Ｃを駆動するカラー感光体駆動モータ２３２と、カラー用の現像器６Ｙ、６Ｍ、６Ｃを駆動するカラー現像器駆動モータ２３３とが配置されている。カラー感光体駆動モータ２３２およびカラー現像器駆動モータ２３３は、カラー印刷時に駆動され、白黒印刷時には駆動されない。
【００５８】
さらに、右側板２２１には、中間転写ユニット７０の接離動作を行う中間転写ユニット接離駆動モータ２３４が配置されている。この中間転写ユニット接離駆動モータ２３４により、カラー印刷時と白黒印刷時に中間転写ユニット７０の中間転写ベルト８を接離駆動する。
【００５９】
次にブラック駆動モータ２３１からの動力の伝達経路について説明する。図１２に示すように、ブラック駆動モータ２３１の出力軸に取付けられた入力ギア２５１からの駆動力は、電磁クラッチ２４０の入力側ギア２４１にかみ合っている。
【００６０】
電磁クラッチ２４０は以下の構造を備える。図１４は同作像機構部に配置される電磁クラッチを示す模式図である。電磁クラッチ２４０は、電磁クラッチ軸２４４に入力側ギア２４１と、出力側ギア２４２とが配置されて構成される。入力側ギア２４１は、電磁クラッチ部２４５に接続され、この電磁クラッチ部２４５は外部からの電流のオン、オフ制御により入力側ギア２４１を電磁クラッチ軸２４４に結合、結合解除される。出力側ギア２４２は電磁クラッチ軸２４４に固着され一体として回転する。
【００６１】
移動部材２４３は、電磁クラッチ軸２４４に固定され、電磁クラッチ軸２４４が移動すると、出力側ギア２４２とともに移動する。電磁クラッチ２４０に通電すると、電磁クラッチ部２４５が結合状態となり、入力側ギア２４１に入力された動力を電磁クラッチ軸２４４に伝え、出力側ギア２４２が駆動される。一方、電磁クラッチ２４０を非通電状態とすると、電磁クラッチ部２４５は電磁クラッチ軸２４４と非結合状態となり、入力側ギア２４１からの動力は電磁クラッチ軸２４４および出力側ギア２４２に伝達されない。
【００６２】
図１２に示すように、電磁クラッチ２４０の出力側ギア２４２は、ジョイント２８３に連結され、ブラック駆動モータ２３１の動力をブラックの作像ユニット５Ｙに伝達する。即ち、ジョイント２８３の内部にある、内車ギアを通して、ブラックの現像器６Ｋへ動力伝達がなされる。また、図１３に示すように、入力ギア２５１には、ブラックの感光体ドラム１Ｋ駆動用のブラックドラム駆動ギア３１１がかみ合い、感光体ドラム１Ｋが駆動される。さらにこのブラックドラム駆動ギア３１１には中間転写ユニット７０を駆動する中間転写ユニット駆動ギア３１２がかみ合う。この中間転写ユニット駆動ギア３１２の駆動力は、中間ギア３１３を経て中間転写ベルト駆動ギア３１４に伝達される。
【００６３】
また、作像駆動機構２２０には、カラー感光体駆動モータ２３２の動力をカラーの作像ユニット５Ｙ、５Ｍ、５Ｃの感光体ドラム１Ｙ、１Ｍ、１Ｃに伝達するドラム駆動ギア３１５、３１６、３１７が配置される。これらのドラム駆動ギア３１５、３１６、３１７は連動ギア列２９０で連結され同方向に回転する。なお、図１３中符号２８６は中間転写ユニット接離駆動モータ２３４の動力を伝達する転写接離ギアを示している。
【００６４】
次に、作像駆動機構２２０おける電磁クラッチ２４０の動作について説明する。図１５は同作像機構部の動作を示すものであり、（ａ）は電磁クラッチの非連結時を示す模式図、（ｂ）は電磁クラッチの連結時を示す模式図である。
【００６５】
作像駆動機構２２０には、ブラック駆動モータ２３１の回転を電磁クラッチ２４０の入力側ギア２４１にかみ合う入力ギア２５１が配置されている。入力ギア２５１は、ブラック駆動モータ２３１の駆動軸に接続されたピニオン２８１とかみ合う中間ギア２８２と同軸に固定されている。また、ピニオン２８１には、中間転写ユニット７０に駆動力を伝達する中間転写駆動ギア２８４にかみ合っている。さらに、電磁クラッチ２４０の出力側ギア２４２は、ジョイント２８３に駆動力を伝達する伝導ギア２８５がかみ合っており、現像器６Ｋに動力を伝達する。
【００６６】
本実施形態では、電磁クラッチ２４０の入力側ギア２４１、出力側ギア２４２、およびピニオン２８１、中間ギア２８２、中間転写駆動ギア２８４、伝導ギア２８５はそれぞれ「はすば歯車」で構成されている。図１５に示すように、作像駆動機構２２０を上側から見て、入力側ギア２４１、ピニオン２８１、伝導ギア２８５を「右ねじれ」とし、出力側ギア２４２、入力ギア２５１、中間ギア２８２、中間転写駆動ギア２８４を「左ねじれ」としている。このため、ブラック駆動モータ２３１を回転すると、電磁クラッチ軸２４４に軸方向（スラスト方向）上向きの力が発生する。なお、「右ねじれ」は、「歯すじ」を正面から見て、「歯すじ」が右肩上りのもの、「左ねじれ」は同じく左肩上りのものをいう。
【００６７】
電磁クラッチ２４０を非伝達状態として、ブラック駆動モータ２３１を駆動すると、図１５（ａ）に示すように、入力ギア２５１は図中下方への力を受けるが、出力側ギア２４２には、駆動力が伝達されないため、電磁クラッチ軸２４４にはスラスト力が発生しない。
【００６８】
一方、電磁クラッチ２４０が伝達状態として、ブラック駆動モータ２３１を駆動すると、図１５（ｂ）に示すように、電磁クラッチ軸２４４に図中上向きのスラスト力が発生する。即ち、ブラック駆動モータ２３１が駆動して電磁クラッチ２４０を伝達状態にすると、入力ギア２５１は、図中下向の力を受けて、入力側ギア２４１には、反対の方向、即ち図中上向きの力が加わる。出力側ギア２４２および電磁クラッチ軸２４４は、スラスト力を受け、これに伴い移動部材２４３も図中上側方向に力を受けて移動する。
【００６９】
本実施形態では、移動部材２４３の移動により姿勢変更機構２６０を動作させ、作像装置用送風ファン２７０の姿勢を変更する。以下、姿勢変更機構２６０について説明する。図１６は姿勢変更機構の構成および動作を示す模式図である。姿勢変更機構２６０は、棒状部材２６２と、棒状部材２６２と、電磁クラッチ側コロ２６１と、ファン側コロ２６４と、圧縮ばね２６５とを備える。棒状部材２６２は、回転軸２６３で回転可能に保持され、電磁クラッチ側コロ２６１は、この棒状部材２６２の電磁クラッチ２４０側の端部に取付けられ、電磁クラッチ２４０の移動部材２４３に接触する。ファン側コロ２６４は棒状部材２６２の他端に配置され、圧縮ばね２６５はファン側コロ２６４を押圧する。
【００７０】
電磁クラッチ２４０は電源ＯＮ時（通電時）、ブラック駆動モータ２３１を現像器６Ｋに接続して、動力伝達を行う。このとき、電磁クラッチ２４０の電磁クラッチ軸２４４は、スラスト方向の力を受け、図中矢印Ｉのように直進運動する。このとき移動部材２４３も同様に移動する。そして、移動部材２４３は、棒状部材２６２の電磁クラッチ側コロ２６１を押して移動させる。
【００７１】
これにより、棒状部材２６２が、回転軸２６３を中心に矢印IIに示すように回転運動を行い、棒状部材２６２のファン側コロ２６４は、矢印IIIに示すようにフレーム２７３を押す方向に移動する。ここで、ファン側コロ２６４は、圧縮ばね２６５に接続されており、負荷がかからないときは一定の姿勢を保つ。
【００７２】
ファン側コロ２６４は、作像装置用送風ファン２７０のフレーム２７３と接触しており、作像装置用送風ファン２７０は軸部材２７２で軸支されている。このため、フレーム２７３の下部が押され、作像装置用送風ファン２７０は、作像ユニットの軸部材２７２を中心に矢印ＩＶに示すように回転する。
【００７３】
次に電磁クラッチ側コロ２６１の位置と作像装置用送風ファン２７０の姿勢について説明する。以下「非連結時」、「低速連結時」、「高速連結時」の３つの場合について説明する。即ち、電磁クラッチ２４０は、連結状態および非連結状態に駆動制御され、現像器６Ｋは、現像する記録媒体の厚さにより高速運転または低速運転される。現像器６Ｋの速度は、ブラック駆動モータ２３１の駆動速度を変更することにより制御される。
【００７４】
「非連結時」においては、電磁クラッチ２４０が非連結状態で現像器６Ｋが駆動されていない。また、「低速連結時」においては、電磁クラッチ２４０が連結状態でブラック駆動モータ２３１が低速回転して、現像器６Ｋが低速運転する。厚紙に画像を形成する場合に設定される。さらに、「高速連結時」においては、電磁クラッチ２４０が連結状態であり、ブラック駆動モータ２３１が高速回転して、現像器６Ｋが高速運転する。普通紙に画像を形成する場合に設定される。以下それぞれの場合について説明する。
【００７５】
「非連結時」
図１７は電磁クラッチが非連結状態での姿勢変更機構の状態を示す模式図である。電磁クラッチ２４０が非伝達状態であるとき、移動部材２４３にはスラスト力が発生しない。このため、出力側ギア２４２と左側板２２２の距離が「ａ」となる。すると、作像ユニットの作像装置用送風ファン２７０は、圧縮ばね２６５の張力ＴＡだけを受けるため、所定の角度φ［ｄｅｇ］になる。
【００７６】
「低速連結時」
図１８は電磁クラッチが低速連結状態での姿勢変更機構の状態を示す模式図である。電磁クラッチ２４０が通電すると、電磁クラッチ２４０の下流へ動力伝達が行われる。出力側ギア２４２と左側板２２２の距離が「ｂ」（ａ＞ｂ）となる。このとき電磁クラッチ２４０によるスラスト力ＦＬは圧縮ばね２６５の張力ＴＢより大きくなり（ＦＬ＞ＴＢ）、フレーム２７３が押され、作像装置用送風ファン２７０は所定の角度θ［ｄｅｇ］になる。
【００７７】
「高速連結時」
図１９は電磁クラッチが高速連結状態での姿勢変更機構の状態を示す模式図である。電磁クラッチ２４０が通電することで、下流へ動力伝達が行われる。ブラック現像の出力側ギア２４２と左側板２２２の距離が「ｃ」となる（ｃ＞ｂ）。このようにブラックの現像器６Ｋが低速連結時より高速に回転するとき、即ち、ブラック駆動モータ２３１がより高速に回転すると、「はすば歯車」によるスラスト力ＦＨは、低速連結時のスラスト力ＦＬよりも大きくなる。このため、フレーム２７３がより押されて、作像装置用送風ファン２７０は、角度０［ｄｅｇ］になる。
【００７８】
以上の状態をまとめると次の通りである。図２０は送風ファンの傾きを示す模式図、図２１は送風ファンの傾きと風量との関係を示すグラフである。図２２は電磁クラッチの連結状態とギアのスラスト力との関係を示すグラフである。図２０は作像ユニットの送風ファンの３つの流路の概略図を示している。作像ユニットの作像装置用送風ファン２７０の姿勢と流路は、「非連結時」に角度０［ｄｅｇ］で流路Ａとなり、「低速連結時」に角度θ［ｄｅｇ］で流路Ｂとなり、さらに、「高速連結時」に角度φ［ｄｅｇ］で流路Ｃとなる。そして、作像送風ファンの吸気風量は、流路Ｃ＞流路Ｂ＞流路Ａ（角度０＞θ＞φ）となる。
【００７９】
次に、ブラックの現像器６ＫのユニットトルクＴと、スラスト力Ｆａとの関係について説明する。ユニットトルクＴの大きさはブラックの現像器６Ｋの回転数に比例する。また電磁クラッチ２４０の電磁クラッチ軸２４４が受けるスラスト力Ｆａは、現像器６Ｋの回転数ＲおよびユニットトルクＴに比例する。
【００８０】
歯車を転位させていない場合、かつ、歯車が「はすば歯車」の場合、歯幅中央に集中した歯面に垂直な荷重の接線方向（円周方向）分力Ｆｔ（ｋｇｆ）は、式（１）で表せる。
Ｆｔ＝（２０００×Ｔ）／ｄ・・・（１）
Ｔ：現像器トルク（ｋｇｆ・ｍ）、ｄ：基準円直径（ｍ）
【００８１】
また、軸方向（スラスト方向）の分力Ｆａ（ｋｇｆ）は、式（２）で表せる。
Ｆａ＝Ｆｔ×ｔａｎβ  ・・・（２）
β：「はすば歯車」のねじれ角度  （ｄｅｇ）
式（１）（２）より、トルクＴに比例して、ギアのスラスト力（軸方向の力）Ｆａが大きくなることがわかる。
【００８２】
本実施形態２に係る画像形成装置１００Ａでは、姿勢変更機構２６０は、作像装置用送風ファン２７０の傾斜を、「高速連結時」即ち通紙時かつ普通紙のとき、「低速連結時」即ち通紙時かつ厚紙のとき、「非連結時」即ち待機時または通紙開始時の順に増加させる。このため、作像装置用送風ファン２７０の風量は、傾斜の増加に伴って減少する。これにより、これにより、厚紙時および印刷開始前の低騒音化および適切な冷却化が可能となる。
【００８３】
そして、電磁クラッチ２４０の伝達状態および非伝達状態の変更は、作像準備、通紙開始時、および作像終了時および通紙終了時に行う。また、電磁クラッチ２４０は、作像装置６０のブラック駆動モータ２３１での中間転写ユニット７０、または感光体ドラム１Ｋが駆動した後に伝達状態とされ、中間転写ユニット７０または、感光体ドラム１Ｋが停止する前に非伝達状態にできる。
【００８４】
このような処理により、作像装置用送風ファン２７０の姿勢は、作像装置６０の動作状態に対応して最も効率的な姿勢となる。よって、作像前後および通紙中（作像動作中）全ての動作において、作像装置用送風ファン２７０を効率的な姿勢とでき作像動作前後の低騒音化を実現できる。
【符号の説明】
【００８５】
６０：作像装置
７０：中間転写ユニット
８０：二次転写部
１００  画像形成装置
１００Ａ  画像形成装置
１０２：ピニオン（駆動源）
１１０：外側パネル（外装部材）
１１０Ａ：外側パネル（外装部材）
１１０ａ：開口
１１０ｂ：縁部
１１０ｃ：開口
１１１：ファン側揺動アーム
１１２：姿勢変更部材
１１３：姿勢変更カム
１１４：ファン側揺動軸
１１５：フレーム部
１２１：定着器側揺動アーム
１２２：加圧部材
１２３：定着部材移動カム
１２４：定着器側揺動軸
１２５：定着器側圧縮コイルスプリング
１２６：ファン側圧縮コイルスプリング
１３１：送風ファン
１３１ａ：ファン
１３１ｂ：直流モータ
１３２：軸部材
１３３：フレーム
１４１：フィラー
１４２：フォトセンサー
１４３：回転軸
２００Ａ：姿勢変更機構
２００Ｂ：押付変更機構
２００：駆動機構
２２０：作像駆動機構
２２１：右側板
２２２：左側板
２３１：ブラック駆動モータ
２３２：カラー感光体駆動モータ
２３３：カラー現像器駆動モータ
２３４：中間転写ユニット接離駆動モータ
２４０：電磁クラッチ
２４１：入力側ギア
２４２：出力側ギア
２４３：移動部材
２４４：電磁クラッチ軸
２４５：電磁クラッチ部
２５１：入力ギア
２６０：姿勢変更機構
２６１：電磁クラッチ側コロ
２６２：棒状部材
２６３：回転軸
２６４：ファン側コロ
２６５：圧縮ばね
２７０：作像装置用送風ファン（送風ファン）
２７１ａ：ファン
２７１ｂ：直流モータ
２７２：軸部材
２７３：フレーム
【先行技術文献】
【特許文献】
【００８６】
【特許文献１】特開２０１２−０３２４２８号公報
【図１】
2016085438.tif 000003
【図２】
2016085438.tif 000004
【図３】
2016085438.tif 000005
【図４】
2016085438.tif 000006
【図５】
2016085438.tif 000007
【図６】
2016085438.tif 000008
【図７】
2016085438.tif 000009
【図８】
2016085438.tif 000010
【図９】
2016085438.tif 000011
【図１０】
2016085438.tif 000012
【図１１】
2016085438.tif 000013
【図１２】
2016085438.tif 000014
【図１３】
2016085438.tif 000015
【図１４】
2016085438.tif 000016
【図１５】
2016085438.tif 000017
【図１６】
2016085438.tif 000018
【図１７】
2016085438.tif 000019
【図１８】
2016085438.tif 000020
【図１９】
2016085438.tif 000021
【図２０】
2016085438.tif 000022
【図２１】
2016085438.tif 000023
【図２２】
2016085438.tif 000024